(57)【要約】【課題】眼瞼に隙間なく密着するように付着し、安定性を高め、使用上の利便性を有するつけまつ毛およびその製造方法と使用方法を提供する。【解決手段】本発明によるつけまつ毛１は、連結ユニット１０およびまつ毛材２０を備える。連結ユニット１０は、接着部１１および湾曲部１３を有し、接着部１１は眼瞼に貼り付けられ、湾曲部１３は接着部１１を下または上に湾曲させ、接着部１１とまつ毛材２０との角度を変える。まつ毛材２０は、連結ユニット１０に付けられる。接着部１１が弧状に変形し、まつ毛材２０の間隔が広くなる。連結ユニット１１は、薄片状を呈する。これにより、眼瞼の弧度に応じ接着部１１を湾曲させ、眼瞼に隙間なく密着するように付着されることができる。【選択図】図５
2011208341.tif 000002
【特許請求の範囲】
【請求項１】
眼瞼に貼り付けるための接着部、および、前記接着部を下または上に湾曲させる湾曲部を有する連結ユニットと、
前記連結ユニットに付けられるまつ毛材と、を備え、
前記連結ユニットの前記接着部が弧状に変形し、前記まつ毛材の間隔が広くなることを特徴とするつけまつ毛。
【請求項２】
前記連結ユニットは、薄片状を呈することを特徴とする請求項１に記載のつけまつ毛。
【請求項３】
前記まつ毛材は、前記湾曲部に付けられ、または前記湾曲部にはみ出して前記接着部に付けられることを特徴とする請求項１または請求項２に記載のつけまつ毛。
【請求項４】
請求項１に記載のつけまつ毛の製造方法であって、
連結ユニットを形成するステップａ）と、
前記連結ユニットに湾曲部を形成するステップｂ）と、
まつ毛材を前記連結ユニットに付けるステップｃ）と、
を含むことを特徴とするつけまつ毛の製造方法。
【請求項５】
前記連結ユニットおよび前記まつ毛材は、同一の薄片材によって一体成形されることを特徴とする請求項４に記載のつけまつ毛の製造方法。
【請求項６】
前記ステップｂ）または前記ステップｃ）の後、前記湾曲部を利用して前記接着部を上または下に湾曲させて前記接着部と前記まつ毛材との角度を変えるステップｄ）を含むことを特徴とする請求項４または請求項５に記載のつけまつ毛の製造方法。
【請求項７】
つけまつ毛を用意するステップａ）と、
まつ毛材と連結ユニットとが付けられる位置に沿って接着部を湾曲させるステップｂ）と、
前記接着部を弧状に変形させ、接着方式によって眼瞼に貼り付けるステップｃ）と、
を含むことを特徴とするつけまつ毛の使用方法。
【請求項８】
前記連結ユニットは、前記接着部を上または下に湾曲させる湾曲部を有することを特徴とする請求項７に記載のつけまつ毛の使用方法。
【請求項９】
前記ステップｃ）において、接着方式は、接着剤または両面テープを使用することを特徴とする請求項７または請求項８に記載のつけまつ毛の使用方法。
【発明の詳細な説明】
【技術分野】
【０００１】
本発明は、つけまつ毛およびその製造方法と使用方法に関する。
【背景技術】
【０００２】
従来のつけまつ毛は、眼瞼に固定されるまたは接着される部位は、通常円弧状に湾曲するように形成される。
なお、つけまつ毛およびその製造方法と使用方法は例えば、特許文献１に開示されている。
【先行技術文献】
【特許文献】
【０００３】
【特許文献１】特開２００８−２３１６３２号公報
【発明の概要】
【発明が解決しようとする課題】
【０００４】
しかしながら、眼瞼の弧度は人によって異なるため、固定部位または接着部位を眼瞼に隙間なく密着するように付着させることは容易にできず、使用上の不便または違和感がある。
【０００５】
また、ほとんどのつけまつ毛は、まつ毛材を接着方式によって固定部位に結合させるため、製作に時間がかかる。接着状態が不良で安定性を低下させ、逸脱現象が発生するおそれがあり、製品の良品率および使用の際の美観に影響を与える。また、上述の方式によってつけまつ毛を製造する際、非常に繁雑な加工工程を行う必要があるだけでなく、高価な加工設備のほかに多くの工数を投入する必要がある。したがって、このようなつけまつ毛の製造することは容易ではない。
【０００６】
上述した通り、従来のつけまつ毛の製造方法及び使用方法には改善の余地があり、本発明者は研究開発および改良を積極的に進めた結果、本発明を完成させた。
本発明の目的は、眼瞼に隙間なく密着するように付着し、安定性を高め、使用上の利便性を有するつけまつ毛およびその製造方法と使用方法を提供することである。
【課題を解決するための手段】
【０００７】
上述の目的を達成するため、本発明によるつけまつ毛は、連結ユニットおよびまつ毛材を備える。連結ユニットは、接着部および湾曲部を有し、接着部は眼瞼に貼り付けられ、湾曲部は接着部を下または上に湾曲させ、接着部とまつ毛材との角度を変える。まつ毛材は、連結ユニットに付けられる。連結ユニットの接着部が弧状に変形し、まつ毛材の間隔が広くなる。
【０００８】
連結ユニットは、薄片状を呈することが好ましい。
まつ毛材は、湾曲部に付けられ、または湾曲部にはみ出して接着部に付けられることが好ましい。
【０００９】
上述の目的を達成するために、本発明によるつけまつ毛の製造方法は、連結ユニットを形成するステップａ）と、連結ユニットに湾曲部を形成するステップｂ）と、まつ毛材を連結ユニットに付けるステップｃ）と、を含む。
【００１０】
連結ユニットおよびまつ毛材は、同一の薄片材によって一体成形されることが好ましい。
本発明によるつけまつ毛の製造方法は、ステップｂ）の後またはステップｃ）の後、湾曲部を利用して接着部を上または下に湾曲させて接着部とまつ毛材との角度を変えるステップｄ）を含む。
【００１１】
上述の目的を達成するために、本発明によるつけまつ毛の使用方法は、つけまつ毛を用意するステップａ）と、まつ毛材と連結ユニットとが付けられた位置に沿って接着部を湾曲させるステップｂ）と、接着部を弧状に変形させ、接着方式によって眼瞼に貼り付けるステップｃ）と、を含む。
ステップｃ）において、接着方式は、接着剤または両面テープを使用することが好ましい。
【図面の簡単な説明】
【００１２】
【図１】本発明の一実施形態によるつけまつ毛の接着部を湾曲させる前の状態を示す平面図である。
【図２】本発明の一実施形態によるつけまつ毛の接着部を湾曲させる前の状態を示す側面図である。
【図３】本発明の一実施形態によるつけまつ毛の接着部を湾曲させた後の状態を示す平面図である。
【図４】本発明の一実施形態によるつけまつ毛の接着部を湾曲させた後の状態を示す側面図である。
【図５】本発明の一実施形態によるつけまつ毛の完成品を弧状に変形させた後の状態を示す斜視図である。
【図６】本発明の他の実施形態によるつけまつ毛を示す正面図である。
【発明を実施するための形態】
【００１３】
以下、本発明によるつけまつ毛およびその製造方法と使用方法を図面に基づいて説明する。
本発明において、つけまつ毛は、上つけまつ毛および下つけまつ毛を含む。
本発明において、眼瞼は、上眼瞼および下眼瞼を含む。
本発明において、まつ毛材は、本毛または人工の毛または毛状の物体に限らず、材質、形状またはサイズが任意でもよい。
【００１４】
（一実施形態）
図１から図５に示すように、本発明の一実施形態によるつけまつ毛１は、連結ユニット１０およびまつ毛材２０を備える。
連結ユニット１０は、接着部１１および湾曲部１３を有し、接着部１１は眼瞼に貼り付けられ、湾曲部１３は接着部１１を下または上に湾曲させ、接着部１１とまつ毛材２０との角度を変える。接着部１１を弧状に変形させることができる。本実施形態において、連結ユニット１０は、薄片状を呈する。湾曲部１３は陥没溝を呈する。
【００１５】
まつ毛材２０は、連結ユニット１０に付けられる。連結ユニット１０の接着部１１が弧状に変形する際、まつ毛材２０の間隔が広くなる。まつ毛材２０は、湾曲部１３に付けられ、または湾曲部１３にはみ出して接着部１１に付けられることが好ましい。
【００１６】
弧度に応じ接着部１１を湾曲させることができるため、図５に示すように、貼り付ける時および貼り付けた後、接着部１１は眼瞼に隙間なく密着するように付着することができる。
【００１７】
本実施形態によるつけまつ毛の製造方法は、次のステップを含む。
ステップａ）は、連結ユニット１０を形成することである。
ステップｂ）は、薄片材（図中未表示）に湾曲部１３を形成することである。湾曲部１３は接着部１１を上または下に湾曲させることができる。
ステップｃ）は、まつ毛材２０を連結ユニット１０に付けることである。
消費者の需要に応じ、本実施形態によるつけまつ毛の製造方法は、さらに湾曲部１３を利用して接着部１１を上または下に湾曲させて接着部１１とまつ毛材２０との角度を変えるステップｄ）を含む。
【００１８】
連結ユニット１０およびまつ毛材２０は、同一の薄片材（図中未表示）によって一体成形される。
本発明において、連結ユニットおよびまつ毛材は、同一の薄片材による一体成形方式に限らない。また、まつ毛材は任意の形状を呈することにしてもよい。
【００１９】
上記により、本実施形態による付けまつ毛の製造方法は、連結ユニット１０およびまつ毛材２０を迅速なおかつ綺麗に製作することが可能なだけでなく、大量生産および生産の多様化を達成することができる。
【００２０】
本実施形態によるつけまつ毛の使用方法は、次のステップを含む。
ステップａ）は、連結ユニット１０と、連結ユニット１０に付けられるまつ毛材２０と、を有するつけまつ毛１を用意することである。
ステップｂ）は、まつ毛材２０と連結ユニット１０とが付けられる位置に沿って接着部１１を湾曲させることである。
ステップｃ）は、接着部１１を弧状に変形させ、接着方式によって眼瞼に貼り付けることである。
【００２１】
連結ユニット１０は、接着部１１を上または下に湾曲させる湾曲部１３を有する。予め湾曲部１３を形成するか、又は形成しないか、いずれにしてもよい。接着方式は、接着剤または両面テープを使用する。
【００２２】
上記により、弧度に応じ接着部１１を湾曲させ、眼瞼に隙間なく密着するように付着することができる。
【００２３】
本発明において、つけまつ毛１のまつ毛材２０の末端は、予め材料を巻き上げることによってカール状を呈してもよい。またつけまつ毛１の生産が完成した後またはつけまつ毛１を使用する前、適切な道具によってまつ毛材２０の末端をカール状にしてもよい。
【００２４】
連結ユニット１０の湾曲部１３は、様々な形（図中未表示）を呈するように形成されてもよい。それにより、まつ毛材２０に対し、接着部１１をより容易に湾曲させ、安定させてまつ毛材２０と接着部１１との角度を変えることができる。まつ毛材２０の長さは、消費者の要求に応じ中間部位から両側へかけて漸減することにしてもよい。湾曲部１３は上述実施形態の通り陥没溝に限らず、切り目、折り目、連続した孔状または湾曲構造を生成可能な形に呈するように形成されてもよい。
【００２５】
（他の実施形態）
図６に示すように、他の形状を呈するまつ毛材２０Ａは、プラスチック、紙または布類などの様々な素材を使用し、組み合わせ方式または連結方式によって連結ユニットに装着されることにしてもよい。
【００２６】
上述した実施形態の説明の通り、本発明によるつけまつ毛およびその製造方法と使用方法により、つけまつ毛を眼瞼に隙間なく密着するように付着させ、安定性を高めることができるだけでなく、使用上の利便性を実現することができる。また、本発明によるつけまつ毛の製造は容易かつ迅速であり、製品は綺麗で多様な選択性を有するため、品質が良く値段が手頃である要求を満足させることができる。
【００２７】
以上、本発明は、上記実施形態になんら限定されるものではなく、発明の趣旨を逸脱しない範囲において種々の形態で実施可能である。
【符号の説明】
【００２８】
１      ・・・つけまつ毛、
１０    ・・・連結ユニット、
１１    ・・・接着部、
１３    ・・・湾曲部、
２０    ・・・まつ毛材、
２０Ａ  ・・・まつ毛材。
【図１】
2011208341.tif 000003
【図２】
2011208341.tif 000004
【図３】
2011208341.tif 000005
【図４】
2011208341.tif 000006
【図５】
2011208341.tif 000007
【図６】
2011208341.tif 000008